(57)【要約】      （修正有）【課題】脚部着衣の圧迫力を圧力センサーからの測定値を評価し表示する。【解決手段】縦長で垂直に動く圧力センサー（５０）は１群のレバー（７１）を表し、脚部着衣（８０）の試験中、脛骨周辺をシミュレートする担体（９０）の横断面は弓形で、２つの側面（９３，９４）を持っている。この装置には、型乃至はスラスト軸受け（８８）があり、レバーによって支持され、この型は脚のふくらはぎ、即ち大腿骨の背面をシミュレートしている。スラスト軸受けの幅は脚のふくらはぎ即ち大腿骨の幅に相応している。担体（９０）とスラスト軸受け（８８）の間に脚部着衣（８０）の自立している切片（８１，８２）が延びている。２つの圧力センサーの縦に動くグループ（５０）があり、担体（９０）の側面（９３，９４）の外側に取り付けられている。試験に供される脚部着衣（８０）はこの装置の上に被せられて、圧力を掛け、圧力センサーからの測定値を評価し表示する。【選択図】図４
2006258811.tif 000002
【特許請求の範囲】
【請求項１】
伸縮性繊維製脚部着衣、特にストッキング又はパンティーストッキング、医療用の圧縮ストッキング及びコルセット型ストッキングの試験装置であって、本装置は圧力測定機器（１０，３０，６０，７０）を有し、この機器は伸縮性繊維製脚部着衣の試験中はその都度の脚部着衣の内部にあること、且つ、圧力測定機器の作動要素が試験される脚部着衣に沿って分布しているように設定されていることを特徴とする装置。
【請求項２】
請求項１記載の装置において、その都度圧力測定にあたる機器（１０，３０，６０，７０）が、少なくとも１個の、圧力センサー（５１）、レバー機構（１１，３１，６１，７１）、及びスラスト軸受け（２１，２８，４８，８８）を含むこと、スラスト軸受けは型として動作出来ること、圧力センサー（５１）或いは圧力センサーの１群（５０）がレバー機構（１１，３１，６１，７１）の相対する側面に配置されていること、スラスト軸受け（２１，２８，４８，８８）はレバー機構（１１，３１，６１，７１）の相対する側面に配置されていること、且つ、圧力センサー（５１）或いは圧力センサーの１群（５０）とこれに相対しているスラスト軸受け（２１，２８，４８，８８）とが測定機器（１０，３０，６０，７０）の作動要素であることを特徴とする装置。
【請求項３】
請求項２記載の装置において、圧力センサー（５１）は担体（９０）に取り付けられており、この担体は弓形の横断面を有して担体が脛骨周辺をシミュレートしうるようになっていること、スラスト軸受け（２１，２８，４８，８８）は型として動作出来ること、型の圧力センサー（５１）に背を向けている表面が相応する脚部断面の表面の動きを辿ること、且つ、型の幅が当該周辺の脚の幅に相当していることを特徴とする装置。
【請求項４】
請求項２記載の装置において、圧力センサー（５１）或いは圧力センサーの１群が少なくとも１つの列を形成して装置の長手方向に伸びていること、且つ、圧力センサー（５１）或いは圧力センサーの１群が１つの評価機器に個々に接続されていてこの評価機器が受信した圧力値を処理して表示出来ることを特徴とする装置。
【請求項５】
請求項２記載の装置において、レバー機構（１１，３１，６１，７１）は第一のレバー（１２）と第二のレバー（１６）を有してこれらが互いに直交し、その交差場所周辺で旋回シャフト（１７）により互いに旋回可能のように連結していて、レバー（１２，１６）が１つのはさみ機構をなしていること、旋回シャフト（１７）の両側面に乗っている末端（１３，１８）の１つが支持される毎に、旋回シャフト（１７）の１側面に乗っているレバー（１２）の第二の末端（１４）がスラスト軸受け（２１，２８，４８，８８）の調整を決定実行すること、且つ、旋回シャフト（１７）の相対する側面に乗っている別のレバー（１６）の第二の末端（１９）が水平に作動する調整機器（２５）に取り付けられていてこれにより、レバー（１２，１６）の相対する末端（１４，１８）間の距離を変えられることを特徴とする装置。
【請求項６】
請求項５記載の装置において、第一のレバー機構（１１）の第一のレバー（１２）の上側に置かれている腕木（２０）の圧力センサー（５１）に背を向けている側面にある横木（２１）が、ジョイント（２２）によって取り付けられていること、且つ、この横木（２１）は第二のはさみ機構（３１）の上方にある腕木（３４）と結合していて、第二のはさみ機構（３１）の前記の腕木（３４）を通じて、水平に対しての横木（２１）の傾きアルファが調整可能であることを特徴とする装置。
【請求項７】
請求項６記載の装置において、第一の縦長の型（４８）が、ふくらはぎをシミュレートするように計画されること、この型（４８）の下端が、第三のレバー機構（６１）の第一レバー（６２）の上端（６４）にジョイント（６５）によって取り付けられていること、この型（４８）の上方にある末端領域（４６）は横木（２１）に対して滑れるように取り付けられていること、且つ、型（４８）の圧力センサー（５１）に背を向けている側面がふくらはぎの背面表面に類似した表面となるよう指定されることを特徴とする装置。
【請求項８】
請求項６記載の装置において、第二の縦長の型（８８）は、この型（８８）の圧力センサー（５１）に背を向けている表面（８９）が大腿骨の背面表面のプロファイルに相応するプロファイルを持つよう計画されること、この型（８８）の下端（８７）が水平に配置されたスピンドル駆動（８４）のナットに取り付けられていること、且つ、型（８８）の上端（８６）が第四のはさみ機構（７０）の第一のレバー（７２）の上端（７４）にジョイントによって取り付けられていることを特徴とする装置。
【請求項９】
請求項５記載の装置において、レバー機構（１１，３１，６１，７１）が垂直方向に作動する位置調整機器（２９，４９，９９）に取り付けられていることを特徴とする装置。
【請求項１０】
請求項２記載の装置において、２系統の配列（１０１，１０２）が見込めて、先述の全てのレバー機構（１１，３１，６１，７１）のいずれかの１つが、これらの配列（１０１，１０２）のいずれもが基本的に平らであることを示すこと、このような配列（１０１，１０２）が垂直方向に並び、或る水平方向の間隔だけ互いに離れて平行であること、且つ、両方の配列（１０１，１０２）に対して旋回シャフト（２３，４３，５３，８５）が共通であることを特徴とする装置。
【請求項１１】
請求項１記載の装置において、脚部着衣（８０）の開いた末端部分が、その測定中に存在している装置領域で、この脚部着衣（８０）の末端部分の保持装置（１１０）に取り付けられていることを特徴とする装置。
【請求項１２】
請求項１１記載の装置において、保持装置（１１０）は実際上水平に動く湾曲部（１１１）を含み、この湾曲部は脚部着衣（８０）の開いた末端部の縁が湾曲部に接続され、この湾曲部（１１１）が調整機器（１２０）に取り付けられて、装置のレール（３）に対する湾曲部（１１１）の位置を垂直方向に調整しうるよう作動することを特徴とする装置。
【請求項１３】
請求項１２記載の装置において、湾曲部（１１１）がほぼＵ字型をしていること、レール（３）は測定機器（１０）と同様、このＵ字型湾曲部の腕木（１１２，１１３）の間にあること、且つ、湾曲部の腕木（１１２，１１３）の一端間に伸びているブリッジ（１１４）上の湾曲部（１１１）は調整機構（１２０）に接続されていることを特徴とする装置。
【請求項１４】
請求項１３記載の装置において、調整機構（１２０）が２つの横木（１２１，１２２）を含み、この横木は実際上互いに平行に動き、一方の横木は他方の横木に沿って滑れるように取り付けられていて、一方の横木の設定された位置を他方の横木に対して固定出来る手段（１２３）を準備することを特徴とする装置。
【発明の詳細な説明】
【技術分野】
【０００１】
本発明は伸縮性繊維製脚部着衣試験装置、特にストッキング或いはパンティーストッキング、医療用の圧縮ストッキング、及びコルセット型ストッキングの試験装置に関する。
【背景技術】
【０００２】
伸縮性繊維製脚部着衣は、脚部着衣を付ける人体の脚輪郭に成る可く正確に沿うように形成されねばならない。これが達成さる場合のみ脚部着衣はその機能を発揮するのであって、さもないと脚部着衣は脚に対して圧迫力が大きすぎるか小さすぎるかとなってしまう。
この達成のためには、最初に脚部着衣を付ける人体の脚を測定すべきことが知られている。この測定は脚部の決まった位置で脚の周囲を測定する。例えば、最初に足首周辺、次いでふくらはぎの中央と上部、膝周辺、大腿骨周辺、即ちその中央と上部の周囲を測定する。パンティーストッキングの場合は臀部周辺と場合によってはウエスト周りを測定する。これらの測定結果に基づいて脚部着衣が製作される。この後で更に、製品についてこの前提が保持されているか確認する必要があるのは当然である。
【０００３】
仕上がっているストッキングを測定する装置は公知である。この装置の１つでは、平らに置いてあるストッキングの相互に向き合っている長手方向の周辺を針で止め、ストッキングの長さに沿って２列となるように作る。針は移動可能とし、針列間で相互に向き合っている２本の針の間隔を変更可能とする。ストッキング生産中にこの前提が保持出来ているか測定するのは例えば、相互に向き合っている針を、この前提に相当する距離に置き、この２つの針間で出来るストッキングの張力を測定することである。このようにして、ストッキングの輪郭がこの前提で決められた経緯を辿っているか確定することが出来る。しかしこうすると針が刺さるので測定されたストッキングは販売出来なくなる。この種のストッキングは特注品であることが屡々であることを考えると、完成品ストッキングを上記のような仕方で測定しても効果が無い。
【発明の開示】
【発明が解決しようとする課題】
【０００４】
従って本装置の解決すべき課題は現状の上記測定技術が持つ欠点を取り除くことである。
【課題を解決するための手段】
【０００５】
この課題は、始めに示した前記の種類の装置では、本特許請求項１の特徴を示す部分で定義されているような方法で解決される。
【０００６】
次に、本発明の実施態様は添付の図面を用いて更に詳しく明らかにされる。
【発明を実施するための最良の形態】
【０００７】
図１は、人体の脚の模型を示しており、そのどの位置で、即ち人体のどの範囲でその周囲測定が可能で、これにより脚部着衣例えば医療用ストッキングやパンティーストッキングを準備出来るか実証するためのものである。脚部着衣の足部分もこれにより原理的には測定出来る筈である。このためにはここでは足の上半部のみの測定を考慮している。この場合例えば足首ｃＢの領域、ふくらはぎの始まる所のｃＢ１、その中央部のｃＣ、その上端のｃＤ、膝部のｃＥ、大腿骨中央部のｃＦ、同じく上端のｃＧ、を測定する。パンティーストッキングの場合は臀部周囲のｃＨとウエストの周囲のｃＴも測定される。
【０００８】
人体の脚部は上記の部分の周囲が互いに異なるばかりでなく、これらの部分間の距離も異なる。この距離の差は脚の長さの差から生ずる。従って脚部測定で脚の長さの差も判ってくる。この長さで足の裏側、特にかかとの裏側が実用的に決まってくる。足首部分のｃＢは、図１ではっきり判るように、かかと等から距離ＬＢの所にある。
【０００９】
伸縮性繊維製脚部着衣、例えばストッキングやパンティーストッキングの非破壊検査用に本装置を実用する事は、脚部の当該の部分で測定された周囲値を本装置の相当する部分に設定することで可能となる。本装置で更に可能となるのは張力の測定である。これは脚部着衣の相当する各部分に作用していて、これの測定によって、完成品がまともに作られて働くのみでなく、脚部着衣が快適に着用されることを約束するものである。
【００１０】
図２は、本装置の実施態様の１つの側面図である。図３は図２の上半部の拡大切り取り図である。本装置の大部分は所謂動的図式を用いて表現される。この図式は脚の特定の部分にも本装置の原理が働くことをも示している。この原理は、１つの脚部着衣の多くの部分を検査するのに何度も繰り返しこの種の装置が利用出来るようにするものである。
【００１１】
本装置によると、基礎板１があってその上に主支柱２がある。主支柱２には長い支持基礎物体３が付いていて高い所のレールの役を果たす。このレール３は図２や図３に示された場合ではＵ字型の断面を持っている。レール３はこの他Ｌ字型とか四角形の断面も取りうる。基礎板１に取り付けられた主支柱２は、本装置にとってどうしても必要な構成要素ではない。特に重要なことは、レール３が本発明の他の構成要素と同じに分類されていることである。図２と３では、レール３の前方にある腕木４のみがＵ字型断面を持って表示されている。この前方にあるＵ字型腕木４が連絡ブリッジ５の上で第二のＵ字型腕木と結合している。これは手前のＵ字型腕木の後方にあって、隠れている。少なくとも連結ブリッジ５の外側の面６の角は丸めてある。連結ブリッジ５の内側の面７も丸くした外側面６に相応して内側に窪んでいるのは合目的である。
【００１２】
主支柱２の上端部即ちレール３の上端は横方向に曲がった部分８を明示している。このレール部分８の曲がりはレール３の結合ブリッジ５の上にあって、レール３の長手方向から斜め上に伸びるようにするためである。主支柱２のこの基本的に鈎型の部分８は足のつま先部分をシミュレートするものである。本装置の更なる実施態様では足のつま先部分８は斜め上方に伸びる窪んだ形の切片で、合成品で作る場合もある。この形状部分は後で述べる本装置の構成要素となる。この形状部分の断面は弓状となっていて主支柱３の断面との関連を示している。
【００１３】
本装置は更に進んだ測定器１０をも包含している。この測定器１０はレバー方式で、少なくとも１つの圧力センサー５１を持っている。測定器１０の中で重要な働きをするこの構成要素は脚部着衣のどれかの水平面Ｌにあり、そこで圧力が測定される。このためには少なくとも圧力センサー５１の作動面はレール３の外側の面６と接するように配置される。このためレール３は圧力センサー５１の担体とも言える。圧力センサー５１（複数）は少なくとも、垂直に動くセンサー装置５０と一緒に括られ、その際圧力センサー５１はセンサー機器５０の内部で１列となる。図２と３に示された場合では、センサー機器５０は担体３の前面５の中央の前にある。センサー機器５０が２台あれば更に合理的で、担体３の腕木４の１つの側面に１台ずつ配置すればよい。センサー機器５０の圧力センサー５１の作動面は担体３の腕木４の外側の面にある。各圧力センサー５１は個々に中央の評価装置（表示せず）と電気的に繋がっている。
【００１４】
図２の上半部には、他の物と並んで前記の測定機器１０の第一のものも出ている。これは足首のｃＢ領域の圧力測定に特定して用いられる。本装置のこの領域は図３で拡大して示されている。測定機器１０は他の物と並んでレバー機構１１（図３）も包含し、この機構は第一のレバー１２を示している。このレバー１２は基本的には垂直方向に伸びている。この第一のレバー１２の下部の末端１３は、ここに示した例では主支柱２に、屈曲部８の下半部で回転軸２３の周りを回転出来るように配置されている。この第一のレバー１２の下端１３は、図２と３で前方にある支持基礎物体３のＵ字型腕木４で回転可能に合目的的に配置されている。第一のレバー１２の上端１４は、支持基礎物体３の鈎型の末端部８の高さにほぼ揃えて置かれる。第一のレバー１２の上端１４は、同様に横方向に屈曲した末端部１５を示しており、この末端部は支持基礎物体３についている屈曲部８の方向とは反対の方向に曲げてある。第一のレバー１２の上端１４にある末端部即ち屈曲部１５は脚部着衣の足のかかとをシミュレートしている。
【００１５】
レバー機構１１は更に、第二のレバー１６をも示しており、これも基本的には垂直に延びている。この第二のレバー１６は第一のレバー１２と直交している。これらのレバー１２と１６は、直交する位置で回転軸１７により互いに回転可能で結合している。このように配置されたレバー１２と１６は所謂「はさみ」機構を形成している。前記の回転軸１７はこの場合前記のレバー１２と１６の長さ方向のほぼ中央にある。このはさみ機構の第二のレバー１６の上端１８はこの例では支持基礎物体３の内面７上にある。
【００１６】
第二のレバー１６の下端１９はスピンドル駆動部２５のスピンドルナット２４とｃＢ値を持って繋がっている。このスピンドル駆動部２５は水平に配置されており、支持基礎物体３とは、第一のレバー１２の下端１３が回転可能なように配置されているのとほぼ同じ場所に付けられている。スピンドル駆動部２５がこのように配置され駆動されるので、これは、はさみ機構１１のレバー１２と１６の下端１３と１９を相互に近づけたり離したり移動させることが出来る。これに相応して、屈曲部８と１５の間の距離はレバー１２と１６の上端で縮んだり延びたりする。
【００１７】
横木２１は、第一のレバー１２の上部腕木２０に付いているジョイント２２によって回転出来るように取り付けられている。ジョイント２２は第一のレバー１２の屈曲部１５の下半部に付いていて、このジョイント２２が、回転軸１７の上半部の圧力センサー５１とは反対側にある第一のレバー１２の腕木２０に置かれているように配置する。ジョイント２２は第一レバー１２の上端１４にある屈曲部１５の下半部から或る距離２８だけ離れている。レバー１２の切片２８の内部で、屈曲部１５とジョイント２２の間に延びている所で、本装置のどれかの水準面があり、その面でｃＢ値を測定するが、これには一番上に位置する圧力センサー５１を利用する。前記の切片２８は第一レバー１２の固定構成要素であるが、センサー５１と、これの反対側の、レバー１２にある面２８の間の距離を、前記の第一スピンドル駆動２５を利用して調節することが出来る。
【００１８】
このようにして、かかと１５の位置と、これに応じて、垂直方向にある測定水準ｃＢの位置を変更出来る。これによって脚部着衣製作中の脚位置を考慮に入れることが可能となるので、第一のレバー１２の下端１３にある旋回軸受け２３を、垂直に置かれているスピンドルナットと固定取付のスピンドル駆動２９に固定する。
【００１９】
図２の上半部には第二の測定機器３０の更なる活動部分が表示されている。これはふくらはぎの始まりのｃＢ１領域の圧力測定に特化して実行するものである。この測定機器３０はまた特にレバー機構３１を包含していて、これが第一のレバー３２を示す。レバー３２は基本的には垂直方向に伸びている。第一のレバー３２の下端３３は回転可能になっている。第一のレバー３２のこの下端１３は、図２と３では支持基礎物体３の前方に置かれているＵ字型腕木４に、シャフト４３によって回転可能にして配置されている。第一のレバー３２の上端３４は、第一レバー１２にある屈曲部１５の下半部で或る距離に置かれており、これが横木２７に組み込まれている。この横木２７には１つのスリットがあって（表示されていない）、横木の両端間に延びている。このスリットは横木２１の末端からある距離をおいて始まり且つ終わる。このスリットの中で、第二の測定機器３０の第一レバー３２の上端３４が長手方向に移動できるように配置されている。
【００２０】
第二のレバー機構３１は更に第二レバー３６を持ち、これも基本的には垂直に伸びる。この第二レバー３６は第一レバー３２と直交する。これらのレバー３２と３６はその交差場所で回転軸３７により相互に旋回出来るように連結されている。このように配置されたレバー３２と３６はこれにより第二のはさみ機構を形成する。前記の回転軸３７はこの場合前記のレバー３２と３６の長手方向の中央の上にある。このはさみ機構３１の第二レバー３６の上方にある末端３８はこの場合第一はさみ機構１１の第一レバー１２の上方腕木２０により支えられている。このような状況下ではこの第二のはさみ機構３１の第二のレバー３６の上側の末端３８が支持基礎物体３の内面７の上に置かれることも可能であろう。
【００２１】
第二のレバー３６の下側の末端３９は第二のスピンドル駆動４５のスピンドルナット４４とｃＢ１値で繋がっている。このスピンドル駆動４５は水平に配置されていて、第一のレバー３２の下端３３がシャフト４３によって旋回出来るように置かれている場所とほぼ同じ場所に取り付けられている。スピンドル駆動４５は、第二のはさみ機構３１のレバー３２と３６の下端３３と３９が相互に近づいたり離れたり移動出来るように配置され駆動される。
【００２２】
これに相応して、レバー３２と３６の上端３４と３８間の距離は縮んだり伸びたりする。レバー３２と３６の上端３４と３８間の距離が変化すると、第一のレバー３２の上端３４は右側へ動く。この時、第一のレバー３２の上端３４は横木２１に配置されているので、第一のレバー１２の上側の腕木２０と横木２１間に拡がっている角度アルファは増大することとなる。これによって、横木２１の背中と、同じ水準面にある圧力センサー５１との間の距離も変化する。このようにして、ふくらはぎの始まりのｃＢ１領域の脚部の周囲の大きさを広い範囲で設定することが可能となる。
【００２３】
これにより測定範囲ｃＢ１の位置は垂直方向で変更可能となり、従って患者の脚の長さを考慮に入れられるようになる。これにより、第一のレバー３２の軸受けシャフト４３が先述の垂直配置の直線駆動２９（図２）のスピンドルナットに置かれる。
【００２４】
図２の上部には第三の測定機器６０の活動部分も示されており、ふくらはぎの中央部でのｃＣ領域の圧力に特化して測定する。この測定機器６０は特にレバー機構６１を包含し、この機構には第一レバー６２が付いている。このレバー６２は基本的には垂直に伸びる。この第一レバー６２の下側の末端６３は旋回可能なように配置されている。第一レバー６２の末端６３はこの目的に合うように、シャフト５３により旋回可能となっている。第一レバー６２の上端６４には長い型４８が付けられている。型４８の上端４６は横木２１に滑られるように配置されている。型４８の下端４７はジョイント６５上で第一のレバー６２の上部末端６４の周りを旋回出来るように配置されている。型４８は、圧力センサー５１と反対側の表面がふくらはぎの背面表面に似るように作られている。
【００２５】
第三のレバー機構６１は更に、第二のレバー６６を持っていて、これも基本的には垂直に伸びている。第二レバー６６は第一のレバー６２と直交する。これらのレバー６２と６６はその交差場所で回転軸６７により相互に旋回出来るように連結されている。このように配置されたレバー６２と６６はこれにより第三のはさみ機構を形成する。このはさみ機構６１の第二レバー６６の上端６８は滑ることが可能なように支えられている。第二のレバー６６の下端６９は第三のスピンドル駆動５５のスピンドルナット５４とｃＣ値で繋がっている。このスピンドル駆動５５は水平に配置されていて、第一のレバー６２の下端６３がシャフト５３によって旋回出来るように置かれている場所とほぼ同じ場所に取り付けられている。
【００２６】
スピンドル駆動５５は、第三のはさみ機構６１のレバー６２と６６の下端６３と９９が相互に近づいたり離れたり移動出来るように指示し実行する。これに相応して、レバー６２と６６の上端６４と６８間の距離は縮んだり伸びたりする。レバー６２と６６の上端６４と６８間の距離が大きくなると、第一のレバー６２の上端６４は右側へ動く。型４８の下端４７は第一のレバー６２の上端６４に連結されるので、型４８の下端４７も右へ移動し、これにより型４８の反対側の表面と、同じ水平面にある圧力センサー５１との間隔は増大する。このようにして、本装置の中でふくらはぎのｃＣ領域にある脚の周囲の大きさを広く変更可能なように設定出来る。
【００２７】
測定範囲ＬＣの位置がこれにより垂直方向で変更できるようになり、患者の脚の長さが考慮に入れられので、第一レバー６２の軸受けシャフト６３が第二の垂直配置の直線軸受け４９に取り付けられる。
【００２８】
図２では更に第四の測定機器７０が提示されていて、これを用いて人体の大腿骨領域での測定評価を設定出来ることとなる。またこれによりｃＤ領域とｃＧ領域の間の圧力測定が可能となる（図１）。この測定機器７０は中でも第二の長い型８８も包含する。圧力センサー５１とは反対側にある型８８の表面８９は、大腿骨背面表面のプロファイルに相応するプロファイルを持っている。型８８の下端８７は、更に水平方向に配置されているスピンドル駆動部８４のナットに連結される。これにより、大腿骨の上部領域ＬＧでのｃＧ値（図１）設定が可能となる。
【００２９】
測定機器７０は更に第四のレバー機構７１をも包含しており、これは第一のレバー７２を持っている。レバー７２は基本的には垂直方向に伸びている。この第一レバー７２の下端７３は旋回可能に置かれている。これを可能にするように、第一のレバー７２の末端７３はシャフト８５によって旋回可能に置かれる。第一のレバー７２の上端７４には、第二の長い型８８の上端８６が旋回可能になるように取り付けられる。
【００３０】
第四のレバー機構７１は更に第二のレバー７６を持ち、これは基本的には垂直方向に延びている。第二のレバー７６は第一のレバー７２と直交する。これらのレバー７２と７６はその交差場所で回転軸７７により相互に旋回出来るように連結している。このように配置されたレバー７２と７６はこれにより第四のはさみ機構を形成する。このはさみ機構７１の第二のレバー７６の上端７８は滑ることが可能なように支えられている。第二のレバー７６の下端７９は更なるスピンドル駆動９５のスピンドルナットとｃＤ値の設定のために繋がっている。このスピンドル駆動９５は水平に配置されていて、第一のレバー７２の下端７３がシャフト８５によって旋回出来るように置かれている場所とほぼ同じ場所に取り付けられている。
【００３１】
スピンドル駆動９５は、このはさみ機構７１のレバー７２と７６の下端７３と７９が相互に近づいたり離れたり移動出来るように指示し実行する。これに相応して、レバー７２と７６の上端７４と７８間の距離は縮んだり伸びたりする。レバー７２と７６の上端７４と７８間の距離が大きくなると、第一のレバー７２の上端７４は右側へ動く。型８８の上端８６は第一のレバー７２の上端７４に連結されるので、型８８の上端８６も右へ移動し、これにより型８８の反対側の表面と、同じ水平面にある圧力センサー５１との間隔は増大する。このようにして、本装置の中で大腿骨下部のＬＤ領域にある脚の周囲の大きさを広く変更可能なように設定出来る。
【００３２】
測定範囲ｃＧとｃＤの位置ＬＧがこれにより垂直方向で変更できるようになり、患者の脚の長さが考慮に入れられので、第一のレバー７２の軸受けシャフト８５とスピンドル駆動８４が、更に垂直に配置されている直線軸受け９９に取り付けられる。
【００３３】
全てのはさみ機構のレバーは平鉄として作用することが出来るので、どのはさみ機構も非常に平らなものとなる。従って互いに平らに取り付けられた多くのはさみ機構でも極く僅かな容積を占めるだけで、多くのはさみ機構が脚部着衣８０の内部に入れられる。
【００３４】
図４は、本発明の更なる実施での水平断面Ａ−Ａを極く図式的に示している。これは装置としては図２に相当するものである。図４によると本装置は圧力センサー５１用の縦長で垂直に動く担体９０を持っている。担体９０は先述のレバー機構１０を持っている。担体９０の上端部分は上記の屈曲部８（図２）を持つことが出来、これはつま先をシミュレートしている。担体９０の横断面は弓形をしており、その中心角は目的に合うように１８０度としてある。このような担体９０は、２つの垂直に伸びる周辺部分９１と９２のある側面９３と９４を持つ。担体９０は脚部着衣用の本装置では脛骨周辺をシミュレートする。
【００３５】
型の曲がった平面８９又は図４に示したスラスト軸受け８８は、本装置では大腿骨の背面をシミュレートしている。本装置のこの実施形態では圧力センサー５１の２つのグループ５０を想定していて、そこでは圧力センサー５１は各グループ内で実質的に垂直な列を作る。圧力センサー５１のこの列５０のそれぞれが担体９０の側面９３か９４の外面、或いは周辺部９１か９２の外面に取り付けられる。担体９０にはセンサー列５０及び型８８と一緒に脚部着衣８０が掛けられる。担体９０の垂直辺９１と９２、及び型８８の垂直辺７８と７９の間に自由に動ける部分８１と８２が伸びていてこの上に脚部着衣８０が被さる。
【００３６】
弓形の横断面を持つ担体９０の側面９３と９４の間に、前記のレバー機構１１，３１，６１，７１の手前の部分がある。図４に示した断面から見られるように、本装置のこのやり方は２つの配列１０１と１０２を示しており、これによって前述のレバー機構１１，３１，６１，７１のそれぞれが示される。配列１０１と１０２のそれぞれは本質的にフラットで、一方レバー機構１１，３１，６１，７１のレバーは平鉄で出来ている。フラットな配列１０１と１０２は垂直に伸びており、そのそれぞれは相互に或る水平の距離だけ平行的に離れるようになっている。スラスト軸受け即ち型２１，２８，４８，８８は配列１０１と１０２の間に伸びている。前述の旋回シャフトは両方の配列１０１と１０２に共通である。この状況は図４に旋回シャフト８５として例示されている。このシャフトは、隣接して垂直に走っている配列１０１と１０２の第四のレバー器７０の第一レバー７２の下端７３の間に伸びている。
【００３７】
図４から更に、第四のレバー装置７０の第二レバー７６の下端７９が見える。これは共通のスピンドル駆動９５（図４に示さず）に連結している。又、その他のスピンドル駆動２５，４５，５５及び線形軸受け２９，４９，９９は、図２と３の関連で先述したが、１０１と１０２両方の配列に共用のものである。この場合スピンドル駆動２５，４５，５５と線形軸受け２９，４９，９９は配列１０１と１０２の間にあり、配列１０１と１０２の当該レバーは、スピンドル駆動２５，４５，５５の相対する側面と線形軸受け２９，４９，９９の相対する側面とに結合している。図４に提示した本装置の動きは主支柱２（図２、３）無しでも実行出来る。平行して隣接し相互に水平に結合している配列１０１と１０２は自己完結型の構造となっている。レバーのいずれかの末端は、図２と３に示した装置では主支柱２に支えられているが、配列１０１か１０２ではそのいずれかの別のレバーに支えられており、これは図２か３のレバー３６の末端３８がそうであったような仕方である。
【００３８】
製造された脚部着衣８０、例えばストッキングかこれと同様の物を測定する場合、このものを本装置の上方から折り返して置いて、ストッキングの先端部分の内側に突起８があり、ストッキングのかかとの内側で、第一レバー１２の上端１４に突起１５があるようにする。こうするとストッキング８０の胴は本装置の他の構成要素上を更に深く引っ張られる。これにより脚部着衣８０は圧力センサー５０のある担体９０の表面６上の前、そして下方の型８９の表面８８上の後方、且つ他の型即ちスラスト軸受けの表面周辺でもある所に乗る。本方法では脚部着衣は平らに横たわった状態で測定される。この状況は脚部着衣を実際に着用する場合には合致しない。脚部着衣８０は本装置によると開いた状態で試験されることとなり、これは脚部着衣を脚の上に引き上げたのと同じ状態で試験することとなる。試験される脚部着衣は担体９０の外表面のみかスラスト軸受けに囲まれ、脚部着衣の内面は圧力センサー５１上の圧力を受けることとなる。圧力は担体９０の側面９３と９４に付けられたセンサー５０によって有利に測定される。これは、脚部着衣８０の相互に垂直に配置した水準面の領域であるＬＢ，ＬＢ１，ＬＣ，ＬＦ，ＬＧ等で測られる圧力の大きさのより正確な把握に役立つ。
【００３９】
脚部着衣８０が水準面ＬＢ，ＬＢ１，ＬＣ，ＬＦ，ＬＧ等に及ぼす作用は、先ず最初に担体９０と、個々の伸展装置１０，３０，６０，７０の担体９０に対して置かれた動作機械部分との間に一定の距離を設定し、次いで、脚部着衣８０を本装置の上に引っ張って来る方法で測定出来る。前記の距離は、患者の脚部測定中に前記の水準面ＬＢ，ＬＢ１，ＬＣ，ＬＦ，ＬＧ等に伝達されたそれぞれの値に等しい値に相当する。このようにして、各圧力センサー５１即ち圧力センサーグループからの圧力値が読み取られ、これらを個々の水準面ＬＢ，ＬＢ１，ＬＣ，ＬＦ，ＬＧ等の上に置く。読み取られた圧力値が、脚部着衣８０の目指していた健康作用と、同じく快適さをもたらすようなものであれば、この脚部着衣は基準値を満たして生産されたことになる。
【００４０】
このようにして脚部着衣の測定を通して合理的に前進出来るので、スピンドルは、水平に作用するスピンドル駆動に止まらず、垂直に作用する線形軸受けのスピンドルを電気モータを通じて、例えばパルスモータで駆動するのが合目的的である。評価機器からのこのモータは、圧力センサー５１と、各水平面ＬＢ，ＬＢ１，ＬＣ，ＬＦ，ＬＧ等上で相対して置かれた、脚部着衣の各領域を測定する作用機関との間隔を、迅速に且つ正確に設定出来るよう制御する。圧力値は、前記の水準面ＬＢ，ＬＢ１，ＬＣ，ＬＦ，ＬＧなどに置かれた圧力センサー５１を通じて供給されるが、患者の脚の当該の水準面ＬＢ，ＬＢ１，ＬＣ，ＬＦ，ＬＧ等についての有効な基準値と比較される。この比較の結果から生産した脚部着衣の品質を結論する。
【００４１】
各水準面ＬＢ，ＬＢ１，ＬＣ，ＬＦ，ＬＧ等への圧力値の確定は、圧力センサー５１乃至は圧力測定機器５０の圧力センサーグループ５１が評価機器と個々に接続されているという事実に基づいている。患者の脚評価中の水準面ＬＢ，ＬＢ１，ＬＣ，ＬＦ，ＬＧ等への圧力の大きさの確定には圧力センサー５１のどれかのセンサー或いは圧力センサーグループが評価機器を通して、どれが水準面ＬＢ，ＬＢ１，ＬＣ，ＬＦ，ＬＧ等に置かれているかが質される。こうして、求められていた圧力値を正確、迅速に、且つ余分な機械的手段無しに、確定出来る。完成製品でこのような評価を実行するには、コンピュータプログラムが役立つ。これは、患者の脚測定中に確定した前提に基づいて、圧力センサー５１と、水準面ＬＢ，ＬＢ１，ＬＣ，ＬＦ，ＬＧ等のいずれかに置かれたスラスト軸受けとの間の間隔を、脚のいずれかの領域についてのいずれかの測定器で自動的に設定し、最後に水準面ＬＢ，ＬＢ１，ＬＣ，ＬＦ，ＬＧ等のいずれかの圧力値を自動的に読み取って評価するものである。
【００４２】
図５は本装置の更なる実施態様を示していて、図２で示したものから更に進んだものに相当する。図６は、図５で表示した本装置の実施態様の平面図である。ここではより良い概観のために本装置の実施態様にとって本質的ではない構成要素は削除してある。
【００４３】
本装置の主支柱２（図５）のいずれかの領域で、主としてストッキングである脚部着衣の開いた末端部分がその測定中に存在する所に、この脚部着衣の末端部分の保持装置１１０が配置されている。この領域は担体３の下端の上半分にあり、これは基礎板１に差し込まれている。保持装置１１０は湾曲部１１１を包含し、これに脚部着衣の開いた末端部の縁が接続可能である。この湾曲部１１１は水平面にありＵ字型をしている。
【００４４】
湾曲部１１１には２つの平行に相対して動く腕木１１２と１１３がある。これらの腕木１１２と１１３の一端はブリッジ１１４を通じて前記のＵ字型にお互いに連結される。今の場合、ブリッジ１１４は弓形である。このブリッジ１１４の外面には連結板１１５がその１つの末端で固定されている。これは同時に前記の水平面に少なくとも本質的には置かれている。今の場合この連結板１１５はＬ字型をしており、これには２つの腕木１１６と１１７が付いている。連結板１１５のＬ字型腕木１１７の１つの自由端末部は湾曲部１１１のブリッジ１１４と連結している。
【００４５】
保持装置１１０は更にもう１つの機構１２０を包含しており、これは担体３に対する湾曲部１１１の位置調製を水平方向で可能にするものである。調製機構１２０は２つの垂直に動く横木１２１と１２２を包含しておりこれらは実質的に相互に平行で、１つの横木はもう１つの横木に沿って滑ることが可能なように取り付けられている。今の場合横木１２１と１２２は四角形の横断面を示し、その側面の１つの上に互いに取り付けられている。媒体１２３を準備してこの助けで横木の１つの設定された位置をもう１つの横木に対して固着させることが出来る。媒体１２３は例えば１対のボルトとナットを包含出来る。ネジ付きボルトが両方の横木１２１と１２２を貫いている。横木１２１と１２２の位置は、ネジ付きボルトのもう１つの末端にナットを取り付けて固着する。
【００４６】
これにより横木１２１と１２２は単に互いに平行に移動出来るばかりか、今の場合横木１２１の１つのどれかの側面に長さ方向のスロット１２４が作れて、これにもう１つの横木１２２を取り付ける。もう１つの横木１２２の相当する側面に突き出ている歯１２５を供給して、これが横木１２２の側壁から離れて出ており、またこれがナット１２４で長手方向に移動しうるよう保持される。
【００４７】
第一の或いは下部の横木１２１の下部末端部は基礎板１の上または中に固定されている。第二の或いは上部の横木１２２の上部末端部には湾曲部１１１が連結している。このためには、連結板１１５の第二のＬ字型腕木１１６の自由末端部を第二の横木１２２の上端の湾曲部１１１と連結させる。第二のＬ字型腕木１２２の末端部の正面にはネジ穴が空けてある。連結板１１５の第二のＬ字型腕木１１６の自由末端部にはネジ穴に相当する開口部１２６がある。開口部１２６を通して進むネジ（ここには示さず）を使って、第二のＬ字型腕木１１６の自由末端を第二の横木の正面に固定させる。
【００４８】
本装置のこれらの実施態様では２つのセンサー機器５０が想定されていて、その際どれかのグループ内の圧力センサー５１は実質上垂直に動く列を形成している。これらセンサー列５０のどれか１つが弓形の横断面を持つ担体３の側面９３乃至９４の１つと接続している。列５０のセンサー５１の作動面はその都度の担体３の側面９３乃至９４の外面にある。センサー列５０と一緒に担体３は脚部着衣８０の周辺にあり、これについては、図６ではそのものの手前部分のみが示されている。
【図面の簡単な説明】
【００４９】
【図１】脚部のどの位置でその周囲を測定出来るかを、人体の脚部の模型で実際に示している。
【図２】本装置の最初の実施態様の側面図で、その大部分は動的図式で表現されている。
【図３】図２の１つの切り出し部分の拡大図である。
【図４】本発明の更なる実施態様でのＡ−Ａ水平断面の単に図式的な表現で図２の装置に相当するものである。
【図５】本装置のまた更なる実施態様で、図２の作図の発展形に相当する。
【図６】図５で示した本装置の実施態様の俯瞰図である。
【図１】
2006258811.tif 000003
【図２】
2006258811.tif 000004
【図３】
2006258811.tif 000005
【図４】
2006258811.tif 000006
【図５】
2006258811.tif 000007
【図６】
2006258811.tif 000008